(57)【要約】【課題】アンカーの受圧板内部にも植生基盤材を配置できるアンカーの受圧板用型枠及び受圧板及び斜面の緑化方法を提供すること。【解決手段】斜面６に打設するアンカー３の頭部を定着するための受圧板用型枠１であって、平面視が縦枠１１と横枠１２が交差した略十字型の枠体で構成され、前記横枠の側面であって、前記縦枠の軸方向に位置する２つの側面の一方に開口部１３を設けたことを特徴とするものである。そして、このアンカーの受圧板用型枠を使用し、前記縦枠に固化材を充填して縦梁を構築し、前記横枠の開口部から植生基盤材を投入して横梁を構築して受圧板とする。【選択図】        図１
2004278174.tif 000002
【特許請求の範囲】
【請求項１】
斜面に打設するアンカーの頭部を定着するための受圧板用型枠であって、
平面視が縦枠と横枠が交差した略十字型の枠体で構成され、
前記横枠の側面であって、前記縦枠の軸方向に位置する２つの側面の一方に開口部を設けたことを特徴とする、
アンカーの受圧板用型枠。
【請求項２】
前記縦枠と前記横枠の交差面に遮蔽部を設けたことを特徴とする、
請求項１記載のアンカーの受圧板用型枠。
【請求項３】
前記縦枠と前記横枠の底面を可撓性シートで形成したことを特徴とする、
請求項１又は２記載のアンカーの受圧板用型枠。
【請求項４】
請求項１乃至３のいずれかに記載のアンカーの受圧板用型枠を使用し、
前記縦枠に固化材を充填して縦梁を構築し、
前記横枠の開口部から植生基盤材を投入して横梁を構築した、
アンカーの受圧板。
【請求項５】
斜面にアンカーを打設し、
請求項１乃至３のいずれかに記載のアンカーの受圧板用型枠を、前記縦枠が法面方向になるように設置し、
前記アンカーで前記受圧板用型枠を仮固定又は本固定し、
前記縦枠に固化材を充填して縦梁を構築し、
前記横枠の開口部から植生基盤材を投入して横梁を構築する、
斜面の緑化方法。
【発明の詳細な説明】
【０００１】
【発明の属する技術分野】
本発明は、斜面に打設したアンカーの頭部を定着するのに使用する、アンカー受圧板を構築するためのアンカーの受圧板用型枠、及びその型枠を使用して構築した受圧板、及びその型枠を利用した斜面の緑化方法に関するものである。
【０００２】
【従来の技術】
斜面にアンカーを打設することによって斜面の安定化を図る斜面安定方法が従来から実施されている。
アンカーには緊張力を導入するタイプのものと、斜面に固定するだけでアンカー材の引張り抵抗力やせん断抵抗力に期待するタイプのものがある。このどちらのタイプのアンカーにあっても、アンカー力を斜面に伝達するための受圧板ａが必要になる。
受圧板には、法枠のように連続したタイプのものやアンカー毎に設置する独立タイプのものがある。また、製造方法によって、現場打ちタイプとプレキャストタイプに区別できる。さらに独立タイプの受圧板ａは、十字型、正方形型のものが従来から使用されている。
特に、鋼製の有孔板を使用して平面視が十字型となる型枠を製作し、アンカーを打設した斜面上に型枠を設置して、型枠内部にモルタル等を充填して受圧板ａを構築する方法が施工性において優れた工法として従来から使用されている（特許文献１参照）。
【０００３】
【特許文献１】
特開平１１−３５０４９６号公報（図１，３，４）
【０００４】
【本発明が解決しようとする課題】
前記した従来のアンカーの受圧板用型枠及び受圧板にあっては、次のような問題点がある。
＜イ＞従来から使用されている独立タイプの受圧板ａは、構築された縦梁ａ１や横梁ａ２等の部材のすべてがモルタル又はコンクリート製である。このため、受圧板を設置する箇所は緑化することができない。
＜ロ＞仮にアンカー受圧板の表面を植生基盤材等で覆ったとしても、受圧板の表面は覆土厚も薄くなり、降雨などによって洗い流されるおそれがある。
＜ハ＞斜面に植栽用のポケット部を設けることによって受圧板の周囲を緑化することもできるが、受圧板とは別の部材を使用して、別途構築する必要がある。
【０００５】
【本発明の目的】
本発明は上記したような従来の問題を解決するためになされたもので、アンカーの受圧板内部にも植生基盤材を配置できるアンカーの受圧板用型枠及び受圧板及び斜面の緑化方法を提供することを目的とする。特に、アンカーの受圧板の構築と、植生基盤材の配置が同時におこなえるアンカーの受圧板用型枠及び受圧板及び斜面の緑化方法を提供することを目的とする。
また、少ない部材で効率的に構築可能なアンカーの受圧板及び斜面の緑化方法を提供することを目的とする。
さらに、人工的な受圧板を目立たなくして、周辺の自然景観に順応し易い受圧板及び斜面の緑化方法を提供することを目的とする。
本発明はこれらの目的のうち少なくとも一つを達成するものである。
【０００６】
【課題を解決するための手段】
上記のような目的を達成するために、本発明のアンカーの受圧板用型枠は、斜面に打設するアンカーの頭部を定着するための受圧板用型枠であって、平面視が縦枠と横枠が交差した略十字型の枠体で構成され、前記横枠の側面であって、前記縦枠の軸方向に位置する２つの側面の一方に開口部を設けたことを特徴とするものである。ここで、前記縦枠と前記横枠の交差面には遮蔽部を設けるのが好ましい。また、前記縦枠と前記横枠の底面は可撓性シートで形成することができる。
【０００７】
さらに本発明のアンカーの受圧板は、上記のいずれかに記載のアンカーの受圧板用型枠を使用し、前記縦枠に固化材を充填して縦梁を構築し、前記横枠の開口部から植生基盤材を投入して横梁を構築したものである。
【０００８】
また、本発明の斜面の緑化方法は、斜面にアンカーを打設し、上記のいずれかに記載のアンカーの受圧板用型枠を、前記縦枠が法面方向になるように設置し、前記アンカーで前記受圧板用型枠を仮固定又は本固定し、前記縦枠に固化材を充填して縦梁を構築し、前記横枠の開口部から植生基盤材を投入して横梁を構築する方法である。
【０００９】
【本発明の実施の形態】
以下、図面を参照しながら本発明の実施の形態について説明する。
【００１０】
＜イ＞アンカーの受圧板
アンカー３の受圧板１０は、アンカー力を斜面６に伝達するための部材で、アンカー３の頭部に設置する。アンカー３の受圧板用型枠１は、受圧板１０を構築するために使用する型枠である。本発明の受圧板用型枠１は、平面視が十字型になるように縦枠１１と横枠１２で構成する。このため、構築された受圧板１０は、縦梁１１０と横梁１２０が十字に交差する構造となる。
また、横梁１２０と交差する縦梁１１０のほぼ中央部には、アンカー３の頭部を固定するためのアンカー固定部３１を設ける。アンカー固定部３１は、例えば縦梁１１０の上面から窪んだ凹部として成形する（図２参照）。また、アンカー頭部３２が受圧板１０の上面から突出する構造であってもよい（図示せず）。
【００１１】
＜ロ＞縦梁
縦梁１１０は、モルタルやコンクリート等の固化材を縦枠１１に充填して構築する梁部材である。縦梁１１０は、例えば四角柱状に成形できる。この四角柱状の軸方向の端部は、斜めに成形してもよい。また、横梁１２０との交差部から軸方向の端部に向けて徐々に先細りする形状であってもよい（図示せず）。
縦梁１１０を構築するための縦枠１１の上面及び側面は、複数の孔を設けた有孔鋼板、溶接金網、金網、エキスパンドメタル、孔の無いプレキャストコンクリート板又は鋼板などを使用して製作する。縦枠１１にはモルタルやコンクリート等の固化材を充填するため、固化材が滲み出しても流出はしない程度の孔開き部材や孔の開いていない部材を使用する。また、斜面６に設置したときに最上部に位置する側面には、固化材を充填するための充填口１５を設けておくのが好ましい（図１参照）。固化材を充填するのは、通常、斜面６に受圧板用型枠１０を設置した後であるが、予め工場などで縦枠１１に固化材を充填して縦梁１１０を構築しておくこともできる。
ここで、縦枠１１の内部には、予め鉄筋等の補強材を配置しておくのが好ましい。このように縦枠１１を製作しておけば、コンクリートを縦枠１１の内部に充填するだけで、鉄筋コンクリート製の縦梁１１０を構築できる。
【００１２】
また、縦枠１１と横枠１２の境界となる交差面には、遮蔽部１４を設けておくのが好ましい。縦枠１１に充填した固化材が、横枠１２側に流れ出すのを防止するためである。遮蔽部１４は横枠１２側に設けてもよい。遮蔽部１４は、鋼板、樹脂板、合板又は遮蔽用シートなどで構成する。
さらに、縦枠１１の底面は、公知の可撓性シート２ａで製作するのが好ましい。底面に可撓性シート２ａを配置した状態で固化材を充填すると、斜面６に凹凸があったとしても受圧板１０が斜面６に密着することができる。なお、可撓性シート２ａのアンカー３が貫通する部分には、予めアンカー用穴２１を設けておくことができる。
【００１３】
＜ハ＞横梁
横梁１２０は、横枠１２に植生基盤材４を充填して構築する部材である。横梁１２０は、縦梁１１０と同じような外形にすることができるが、植生基盤材４を多く充填するためには四角柱状に成形するのが好ましい。
横梁１２０を構成する横枠１２の上面及び側面は、複数の孔を設けた有孔鋼板、溶接金網、金網、エキスパンドメタルなどを使用して製作する。また、横枠１２の側面のうち、縦枠１１の軸方向に位置する２つの側面の一方に開口部１３を設ける。開口部１３は、受圧板用型枠１を斜面６に設置したときに上方となる側面に設ける。すなわち、縦枠１１の充填口１５と同じ側の側面に設ける。開口部１３を設ける側の側面は、枠材を残してすべてを開口部１３にするのが好ましい。また、開口部１３を補強するために中間に補強梁１３１を取り付けることもできる（図１参照）。
【００１４】
また、横梁１２０を縦梁１１０で支持するために、縦枠１１の頂部と横枠１２の先端部を結ぶ補強材５を取り付けることもできる（図３参照）。
さらに、横枠１２の底面には、縦枠１１と同様に公知の可撓性シート２ａを配置することができる。また、横枠１２の底面に配置する可撓性シート２は、横梁１２０に植栽した木本類４１等の植物の根が突き出ることができる多孔質シート２ｂを配置することもできる（図３参照）。多孔質シート２ｂには、例えばネット、織布、不織布などが使用できる。
また、横枠１２の上面及び開口部１３と対向する側の側面には、植生基盤材４の流出を防止したり、乾燥を防いだりするためのシート材４２を配置するのが好ましい。シート材４２には、織布、不織布などが使用できる。
【００１５】
＜ニ＞アンカー
アンカー３は、斜面６の安定化を図るために斜面６に打設する。アンカー３には、緊張力を導入するタイプのものと、斜面に固定するだけでアンカー材の引張り抵抗力やせん断抵抗力に期待するタイプのものの両方が使用できる。
緊張力を導入するアンカー３では、アンカー体を地中に固定して、頭部においてアンカー３を緊張する。アンカー３を構成する引張り材には、ＰＣ鋼より線、ＰＣ鋼棒などが使用できる。
その他のアンカー３としては、引張り材を地中に固定してアンカー受圧板１０にアンカーの頭部を定着するタイプのものが使用できる。このタイプのアンカー３ではロックボルト、鉄筋棒等を引張り材として使用する。
【００１６】
以下、図面を参照しながら本発明の斜面の緑化方法について説明する。
【００１７】
＜イ＞アンカーの打設
斜面６に所定の間隔を置いてアンカー３を打設する。
アンカー３の打設は、削孔機により削孔した孔にアンカー３を挿入し、セメントミルク等の固化材を注入することによっておこなう。
なお、自穿孔ボルトなどを使用してアンカー３を打設する場合は、削孔とアンカーの挿入を同時におこなうことができる。
【００１８】
＜ロ＞受圧板用型枠の設置及び縦梁の構築
アンカー３の頭部に受圧板用型枠１を設置する。受圧板用型枠１を設置は、受圧板用型枠１のアンカー用穴２１にアンカー３の頭部を通し、縦枠１１の軸方向が斜面方向と一致するようにしておこなう。
そして、受圧板用型枠１のアンカー固定部３１に、アンカー頭部３２を仮固定又は本固定して、受圧板用型枠１を斜面６上に係留する。ここで、仮固定とは、最終的に再度、固定をし直す場合の前段階の固定をいい、本固定とは最終的におこなう固定をいう。
次に、縦枠１１の充填口１５からコンクリート等の固化材を充填して縦梁１１０を構築する。
【００１９】
＜ハ＞横梁の構築
横枠１２の開口部１３から植生基盤材４を投入して横梁１２０を構築する。ここで、植生基盤材４とは、土砂、客土、肥料など植物の生育に必要な基盤材料をいう。植生基盤材４には、必要に応じてアスファルト乳剤などの接合剤、種子、水を混合する。
植生基盤材４は、横梁１２の内部の他に、受圧板１０を設置していない斜面６上に吹付けなどによって配置してもよい。横梁１２０の上方には、横枠１２からはみ出して水平面を形成する程度に植生基盤材４を配置することができる（図４参照）。木本類４１を育てるには、出来るだけ植生基盤材４が厚く配置されている方が良いからである。
横梁１２０には、木本類４１の苗木などを植栽する。
【００２０】
＜ニ＞受圧板の固定
アンカー３を緊張する場合は、縦梁１１０の固化材が硬化して所定の強度に達した後に、例えばアンカー頭部にジャッキを設置して、ジャッキを作動させることにより緊張・定着をおこなう。
また、アンカー３を緊張しない場合は、アンカー頭部にナット等の定着具を装着してアンカー固定部３１に定着する。なお、アンカー３を緊張しない場合は、受圧板用型枠１を斜面６に設置したときの固定を本固定にすることもできる。
【００２１】
【本発明の効果】
本発明のアンカーの受圧板用型枠及び受圧板及び斜面の緑化方法は、以上説明したようになるから次のような効果を得ることができる。
＜イ＞横枠の内部に植生基盤材を配置できるので、アンカーの受圧板自体を緑化することができる。特に、アンカーの受圧板として機能する縦梁と、緑化機能を有する横梁が一体となっているため、作業性がよく、かつ経済的である。
＜ロ＞人工的な受圧板を、受圧板に植栽した植物によって覆い隠すことができるため、周辺の自然景観に順応し易い。
【図面の簡単な説明】
【図１】本発明のアンカーの受圧板用型枠の実施例の斜視図。
【図２】本発明のアンカーの受圧板の実施例の斜視図。
【図３】補強材を設けたアンカーの受圧板用型枠の実施例の背面図。
【図４】本発明の斜面の緑化方法の実施例の断面図。
【図５】従来のアンカーの受圧板の実施例の斜視図。
【符号の説明】
１・・・受圧板用型枠
１１・・縦枠
１２・・横枠
１３・・開口部
１４・・遮蔽部
１０・・受圧板
１１０・・縦梁
１２０・・横梁
２・・・可撓性シート
３・・・アンカー
４・・・植生基盤材
６・・・斜面
【図１】
2004278174.tif 000003
【図２】
2004278174.tif 000004
【図３】
2004278174.tif 000005
【図４】
2004278174.tif 000006
【図５】
2004278174.tif 000007